(57)【要約】【課題】装置故障を回避することができる画像処理装置、画像処理方法、及びプログラムを提供する。【解決手段】予め設定された物理量の閾値を記憶し、動作中に閾値を超えると表示部に異常を表示するようにしたことで、操作者が異常を把握することができるので、異常に対応した処理をすることで、装置故障が原因の消費電力の増加が引き起こすブレーカーの作動を回避することができる。【選択図】図１
2010268151.tif 000002
【特許請求の範囲】
【請求項１】
予め設定された物理量の閾値が記憶されている記憶手段と、
動作中に前記閾値を超えると表示部に異常を表示するように制御する制御手段と、を備えたことを特徴とする画像処理装置。
【請求項２】
前記閾値が、予め設定された単一動作モード毎の消費電力量の閾値であることを特徴とする請求項１記載の画像処理装置。
【請求項３】
周囲温度を測定する温度測定部を備え、
前記閾値が、周囲温度毎に予め設定された単一動作モード毎の消費電力量の閾値であることを特徴とする請求項１記載の画像処理装置。
【請求項４】
前記閾値が、予め設定された単一動作モードを組み合わせた複合動作モードによる総合消費電力の閾値であり、
前記制御手段は、動作モードが単一動作モードから前記複合動作モードになると、単一動作モードの閾値から前記総合消費電力の閾値に変更し、計測した消費電力量が変更した総合消費電力の閾値を超えると、前記表示部に異常を表示するように制御することを特徴とする請求項１記載の画像処理装置。
【請求項５】
予め設定された物理量の閾値を記憶し、
動作中に前記閾値を超えると表示部に異常を表示することを特徴とする画像処理方法。
【請求項６】
画像処理装置を制御するためのコンピュータを、
予め設定された物理量の閾値を記憶する手段、及び、
動作中に前記閾値を超えると表示部に異常を表示するように制御する手段、
として機能させるためのプログラム。
【発明の詳細な説明】
【技術分野】
【０００１】
本発明は、画像処理装置、画像処理方法、及びプログラムに関する。
【背景技術】
【０００２】
オフィスにおいて、プリンタやパーソナルコンピュータ等の装置が日々同時に使われることが多い。しかし、オフィスで使用できる電力量には上限（契約電力量）があり、意図しない装置故障により電力量が上限を超過すると、ブレーカーの作動により電源が遮断されて装置が使用できなくなり、業務が中断する不具合が発生する。
【０００３】
このため、所定の期間における動作モード毎の消費電力を測定累積し、所定期間内に閾値に達すると、省電力モードへの移行時間等を変えたり、一部の動作モードを禁止したりすることが行われている（例えば、特許文献１参照。）。
【発明の概要】
【発明が解決しようとする課題】
【０００４】
ところで、上記従来技術では、故障が考えられる消費電力の増大に対する処置はなされていなかった。
そこで、本発明の目的は、装置故障を回避することができる画像処理装置、画像処理方法、及びプログラムを提供することにある。
【課題を解決するための手段】
【０００５】
上記課題を解決するため、請求項１に記載の発明は、予め設定された物理量の閾値が記憶されている記憶手段と、動作中に前記閾値を超えると表示部に異常を表示するように制御する制御手段と、を備えたことを特徴とする。
【０００６】
請求項２に記載の発明は、請求項１に記載の発明において、前記閾値が、予め設定された単一動作モード毎の消費電力量の閾値であることを特徴とする。
【０００７】
請求項３に記載の発明は、請求項１に記載の発明において、周囲温度を測定する温度測定部を備え、前記閾値が、周囲温度毎に予め設定された単一動作モード毎の消費電力量の閾値であることを特徴とする。
【０００８】
請求項４に記載の発明は、請求項１に記載の発明において、前記閾値が、予め設定された単一動作モードを組み合わせた複合動作モードによる総合消費電力の閾値であり、前記制御手段は、動作モードが単一動作モードから前記複合動作モードになると、単一動作モードの閾値から前記総合消費電力の閾値に変更し、計測した消費電力量が変更した総合消費電力の閾値を超えると、前記表示部に異常を表示するように制御することを特徴とする。
【０００９】
請求項５に記載の発明は、予め設定された物理量の閾値を記憶し、動作中に前記閾値を超えると表示部に異常を表示することを特徴とする。
【００１０】
請求項６に記載の発明は、画像処理装置を制御するためのコンピュータを、予め設定された物理量の閾値を記憶する手段、及び動作中に前記閾値を超えると表示部に異常を表示するように制御する手段、として機能させるためのプログラムであることを特徴とする。
【発明の効果】
【００１１】
本発明によれば、予め設定された物理量の閾値を記憶し、動作中に閾値を超えると表示部に異常を表示するようにしたことで、操作者が異常を把握することができるので、異常に対応した処理をすることで、装置故障が原因の消費電力の増加が引き起こすブレーカーの作動を回避することができる。
【図面の簡単な説明】
【００１２】
【図１】本発明に係る画像処理装置の一実施の形態を示す構成図である。
【図２】図１に示した画像処理装置の動作を説明するためのフローチャートの一例の一部である。
【図３】図２に示したフローチャートの残りの部分である。
【図４】図２に示したフローチャートの残りの部分である。
【図５】図１に示した画像処理装置の表示部の表示例である。
【図６】本発明に係る画像処理装置の他の実施の形態を示す構成図である。
【図７】図６に示した画像処理装置の動作を説明するためのフローチャートの一例の一部である。
【図８】図７に示したフローチャートの残りの部分である。
【図９】図８に示したフローチャートのステップ(11-14)におけるＦＡＸ受信モードのフローチャートの一例である。
【図１０】図８に示したフローチャートのステップ(11-14)におけるＦＡＸ送信モードのフローチャートの一例である。
【図１１】図８に示したフローチャートのステップ(11-14)におけるスキャン蓄積モードのフローチャートの一例である。
【図１２】図８に示したフローチャートのステップ(11-14)における待機モードのフローチャートの一例である。
【図１３】図８に示したフローチャートのステップ(11-14)における予熱モードのフローチャートの一例である。
【図１４】図８に示したフローチャートのステップ(11-14)における低消費電力モードのフローチャートの一例である。
【図１５】図１に示した画像処理装置の動作を説明するためのフローチャートの一例の一部である。
【図１６】図１５に示したフローチャートの残りの部分である。
【図１７】図１５に示したフローチャートの残りの部分である。
【発明を実施するための形態】
【００１３】
本発明の実施の形態について説明する。
（実施の形態１）
＜構  成＞
図１は、本発明に係る画像処理装置の一実施の形態を示す構成図である。
印刷装置７及び画像読取装置８を備える画像処理装置Ａは、画像処理装置Ａにおける画像処理全般の制御を行う画像処理制御ユニット１０を備えており、この画像処理制御ユニット１０には、印刷装置７を制御する印刷制御ユニット１１と、画像読取装置８を制御する画像読取制御ユニット１２とが接続されている。
【００１４】
印刷制御ユニット１１は、画像処理制御ユニット１０の制御に従って印刷装置７に対して画像データを含む印刷指示を出力し、印刷装置７に転写紙などの媒体に画像を形成して出力させる。
【００１５】
印刷装置７は、フルカラー印刷可能とされており、その印刷方式は、電子写真方式のほか、インクジェット方式、昇華型熱転写方式、銀塩写真方式、直接感熱記録方式、溶融型熱転写方式など、さまざまな方式を用いることができる。
【００１６】
画像読取制御ユニット１２は、画像処理制御ユニット１０の制御により画像読取装置８を駆動し、原稿の表面に対するランプ照射の反射光をミラー及びレンズにより受光素子（例えば、ＣＣＤ（Charge Coupled Device））に集光して読み取り、Ａ／Ｄ変換してＲＧＢ各８bitのデジタル画像データを生成する。
【００１７】
このような画像処理制御ユニット１０は、メインプロセッサであるＣＰＵ（Central Processing Unit）１３と、画像読取装置８から読み込んだ画像データを印刷装置７による作像に供すべく一旦格納しておくメモリデバイス（例えば、ＳＤＲＡＭ（Synchronous Dynamic Random Access Memory）等）１４と、制御プログラム等を記憶したＲＯＭ（Read Only Memory）１５と、システムログ／システム設定／ログ情報等を記録しておく電源ＯＦＦ時にもデータの保持が可能なＮＶＲＡＭ（Non-Volatile RAM：不揮発性ＲＡＭ）１６と、をバス接続したマイクロコンピュータ構成とされている。
【００１８】
また、画像処理制御ユニット１０には、多量の画像データの蓄積やジョブ履歴等の記憶装置となるＨＤＤ（Hard Disk Drive）１７、装置内部に設けられた集線装置であるＨＵＢ１９を介して画像処理装置ＡをＬＡＮ（Local Area Network）２に接続するためのＬＡＮ制御部１８、ＦＡＸ制御を行うＦＡＸ制御ユニット２０が接続されている。このＦＡＸ制御ユニット２０は、公衆電話網２１に通じる構内交換器（ＰＢＸ:Private Branch Exchange）２２に接続されており、画像処理装置Ａ、遠隔のファクシミリと交信することができる。
加えて、画像処理制御ユニット１０には、表示制御ユニット２３及び操作入力制御ユット２４が接続されている。表示制御ユニット２３は、画像処理制御ユニット１０のコントロールによって制御パネルＩ／Ｆ２５を通じて、操作パネルＰに対して画像表示の制御を行う。
【００１９】
また、操作入力制御ユニット２４は、操作パネルＰからのオペレータによる機能設定や入力操作に応じた入力制御信号を、制御パネルＩ／Ｆ２５を通じて、画像処理制御ユニット１０のコントロールによって入力する。
【００２０】
操作パネルＰは、例えばＬＣＤ（Liquid Crystal Display：液晶表示装置）である表示装置４０と、操作入力装置４１とで構成されている。
操作入力装置４１は、表示装置４０の表面に積層された超音波弾性波方式等のタッチパネル４１ａと、複数のキーを有するキーボード４１ｂとで構成されている。キーボード４１ｂには、画像読み取りの開始を宣言するためのスタートキー、数値入力を行うためのテンキー、読み取った画像データの送信先を設定する読取条件設定キー、クリアキー等が設けられている。すなわち、表示制御ユニット２３は、画像表示制御信号を表示装置４０に出力し、画像表示制御信号に応じた所定事項を表示装置４０に表示させる。
【００２１】
一方、操作入力制御ユニット２４は、操作入力装置４１におけるオペレータによる機能設定や入力操作に応じた入力制御信号を受信する。
閾値記憶部１には、予め設定された単一動作モード毎の消費電力の閾値が記憶されている。各動作モードには、コピーモード、印刷モード、ＦＡＸ受信モード、ＦＡＸ送信モード、スキャン蓄積モード、待機モード、予熱モード、低消費電力モードがある。さらにコピーモードには、白黒コピー、カラーコピー、片面コピー、両面コピー毎の閾値、印刷モードには、白黒印刷、カラー印刷、片面印刷、両面印刷の閾値も設定されている。
【００２２】
消費電力制御部２は、画像処理装置Ａの全体の消費電力を測定し、動作モード毎の消費電力が閾値記憶部１に記憶された閾値と比較し、閾値を超えた場合に操作パネルＰに対して異常表示を行う為、画像処理制御ユニット１０に通知する。
【００２３】
＜動  作＞
図２は、図１に示した画像処理装置の動作を説明するためのフローチャートの一例の一部であり、図３、図４は、図２に示したフローチャートの残りの部分である。
画像処理制御ユニット１０は動作モードを監視する。
コピーが開始されると（1-1）、画像処理制御ユニット１０は消費電力制御部２に通知し、消費電力制御部２は閾値記憶部１よりコピー設定された閾値を読み込む。コピー設定が白黒か否かを判定し（1-7）、コピー設定が白黒なら(1-7/YES)、コピー設定が片面か否かを判定する（1-9）。
コピー設定が片面なら（1-9/YES）、Ｔ１１を閾値Ｔ１としてコピーモードの閾値を読み込む（1-2）。
コピー設定が片面でなければ（1-9/NO）、Ｔ１３を閾値Ｔ１としてコピーモードの閾値を読み込む（1-10）。
コピー設定が白黒でなければ(1-7/NO)、片面か否かを判定する（1-8）。
コピー設定が片面なら（1-8/YES）、Ｔ１２を閾値Ｔ１としてコピーモードの閾値を読み込む（1-11）。
コピー設定が片面でなければ（1-8/NO）、Ｔ１４を閾値Ｔ１としてコピーモードの閾値を読み込む（1-12）。同時に消費電力制御部２は消費電力を測定し、測定値＝Ｐ１を得る（1-3）。
【００２４】
消費電力制御部２は、Ｔ１とＰ１とを比較し(1-4)、Ｐ１がＴ１を超えていたならば(1-4/YES)、異常表示を行う為、画像処理制御ユニット１０に通知する。
表示制御ユニット２３は、画像処理制御ユニット１０からの画像表示制御信号を表示装置４０に出力する（1-5）。
Ｐ１がＴ１を超えていなければ(1-4/NO)、コピーが終了したか否かを判断する（1-6）。コピーが終了していなければ(1-6/NO)、再度消費電力を測定する（1-3）。コピーが終了したならば(1-6/YES)、動作モード監視へ移行する。
【００２５】
次に、印刷が開始されると（2-1）、画像処理制御ユニット１０は、消費電力制御部２に通知し、消費電力制御部２は閾値記憶部１より印刷設定された閾値を読み込む。印刷設定が白黒か否かを判定し（2-7）、印刷設定が白黒なら(2-7/YES)、片面か否かを判定する（2-9）。
印刷設定が片面なら(2-9/YES)、Ｔ２１を閾値Ｔ２として読み込む（2-2）。
印刷設定が片面でなければ(2-9/NO)、Ｔ２３を閾値Ｔ２として読み込む（2-10）。
印刷設定が白黒でなければ（2-7/NO）、印刷設定が片面か否かを判定する（2-8）。
印刷設定が片面なら（2-8/YES）、Ｔ２２を閾値Ｔ２として読み込む（2-11）。
印刷設定が片面でなければ（2-8/NO）、Ｔ２４を閾値Ｔ２として読み込む（2-12）。
同時に消費電力制御部２は、消費電力を測定し、測定値＝Ｐ２を得る（2-3）。
消費電力制御部２は、Ｔ２とＰ２とを比較し(2-4)、Ｐ２がＴ２を超えていたならば(2-4/YES)、異常表示を行う為、画像処理制御ユニット１０に通知する。
表示制御ユニット２３は、画像処理制御ユニット１０からの画像表示制御信号を表示装置４０に出力する（2-5）。
Ｐ２がＴ２を超えていなければ(2-4/NO)、印刷が終了したか否かを判断する（2-6）。
印刷が終了していなければ（2-6/NO）、再度消費電力を測定する（2-3）。
印刷が終了ならば（2-6/YES）、動作モード監視へ移行する。
【００２６】
次に、スキャン蓄積が開始されると（3-1）、画像処理制御ユニット１０は消費電力制御部２に通知し、消費電力制御部２は閾値記憶部１よりスキャン蓄積モードの閾値＝Ｔ３を読み込む（3-2）。
同時に消費電力制御部２は消費電力を測定し、測定値＝Ｐ３を得る（3-3）。
消費電力制御部２は、Ｔ３とＰ３とを比較し(3-4)、Ｐ３がＴ３を超えていたならば(3-4/YES)、異常表示を行う為、画像処理制御ユニット１０に通知する。
表示制御ユニット２３は、画像処理制御ユニット１０からの画像表示制御信号を表示装置４０に出力する（3-5）。
Ｐ３がＴ３を超えていなければ(3-4/NO)、スキャン蓄積が終了したか否かを判断する（3-6）。
スキャン蓄積が終了していなければ（3-6/NO）、再度消費電力を測定する（3-3）。
スキャン蓄積が終了ならば（3-6/YES）、動作モード監視へ移行する。
【００２７】
次に、ＦＡＸ受信が開始されると（4-1/YES）、画像処理制御ユニット１０は消費電力制御部２に通知し、消費電力制御部２は閾値記憶部１よりＦＡＸ受信モードの閾値＝Ｔ４を読み込む（4-2）。
同時に消費電力制御部２は消費電力を測定し、測定値＝Ｐ４を得る（4-3）。
消費電力制御部２はＴ４とＰ４とを比較し(4-4)、Ｐ４がＴ４を超えていたならば(4-4/YES)、異常表示を行う為、画像処理制御ユニット１０に通知する。表示制御ユニット２３は、画像処理制御ユニット１０からの画像表示制御信号を表示装置４０に出力する（4-5）。
Ｐ４がＴ４を超えていなければ(4-4/NO)、ＦＡＸ受信が終了したか否かを判断する（4-6）。
ＦＡＸ受信が終了していなければ(4-6/NO)、再度消費電力を測定する（4-3）。ＦＡＸ受信が終了ならば(4-6/YES)、動作モード監視へ移行する。
【００２８】
次に、ＦＡＸ送信が開始されると（5-1）、画像処理制御ユニット１０は消費電力制御部２に通知し、消費電力制御部２は閾値記憶部１よりＦＡＸ送信モードの閾値＝Ｔ５を読み込む（5-2）。
同時に消費電力制御部２は消費電力を測定し、測定値＝Ｐ５を得る（5-3）。
消費電力制御部２はＴ５とＰ５とを比較し(5-4)、Ｐ５がＴ５を超えていたならば(5-4/YES)、異常表示を行う為、画像処理制御ユニット１０に通知する。
表示制御ユニット２３は、画像処理制御ユニット１０からの画像表示制御信号を表示装置４０に出力する（5-5）。
Ｐ５がＴ５を超えていなければ(5-4/NO)、ＦＡＸ送信が終了したか否かを判断する（5-6）。
ＦＡＸ送信が終了していなければ（5-6/NO）、再度消費電力を測定する（5-3）。
ＦＡＸ送信が終了ならば（5-6/YES）、動作モード監視へ移行する。
【００２９】
次に、待機モードが開始されると（6-1）、画像処理制御ユニット１０は消費電力制御部２に通知し、消費電力制御部２は閾値記憶部１より待機モードの閾値＝Ｔ６を読み込む（6-2）。
同時に消費電力制御部２は消費電力を測定し、測定値＝Ｐ６を得る（6-3）。
消費電力制御部２はＴ６とＰ６とを比較し(6-4)、Ｐ６がＴ６を超えていたならば(6-4/YES)、異常表示を行う為、画像処理制御ユニット１０に通知する。
表示制御ユニット２３は、画像処理制御ユニット１０からの画像表示制御信号を表示装置４０に出力する（6-5）。
Ｐ６がＴ６を超えていなければ(6-4/NO)、待機モードが終了したか否かを判断する（6-6）。
待機モードが終了していなければ（6-6/NO）、再度消費電力を測定する（6-3）。
待機モードが終了ならば（6-6/YES）、動作モード監視へ移行する。
【００３０】
次に、予熱モードが開始されると（7-1）、画像処理制御ユニット１０は消費電力制御部２に通知し、消費電力制御部２は閾値記憶部１より予熱モードの閾値＝Ｔ７を読み込む（7-2）。
同時に消費電力制御部２は消費電力を測定し、測定値＝Ｐ７を得る（7-3）。
消費電力制御部２はＴ７とＰ７とを比較し(7-4)、Ｐ７がＴ７を超えていたならば(7-4/YES)、異常表示を行う為、画像処理制御ユニット１０に通知する。
表示制御ユニット２３は、画像処理制御ユニット１０からの画像表示制御信号を表示装置４０に出力する（7-5）。
Ｐ７がＴ７を超えていなければ(7-4/NO)、予熱モードが終了したか否かを判断する（7-6）。
予熱モードが終了していなければ（7-6/NO）、再度消費電力を測定する（7-3）。
予熱モードが終了ならば（7-6/YES）、動作モード監視へ移行する。
【００３１】
次に、低消費電力モードが開始されると（8-1）、画像処理制御ユニット１０は消費電力制御部２に通知し、消費電力制御部２は閾値記憶部１より低消費電力モードの閾値＝Ｔ８を読み込む（8-2）。
同時に消費電力制御部２は消費電力を測定し、測定値＝Ｐ８を得る（8-3）。
消費電力制御部２はＴ８とＰ８とを比較し(8-4)、Ｐ８がＴ８を超えていたならば(8-4/YES)、異常表示を行う為、画像処理制御ユニット１０に通知する。
表示制御ユニット２３は、画像処理制御ユニット１０からの画像表示制御信号を表示装置４０に出力する（8-5）。
Ｐ８がＴ８を超えていなければ(8-4/NO)、低消費電力モードが終了したか否かを判断する（8-6）。
低消費電力モードが終了していなければ（8-6/NO）、再度消費電力を測定する（8-3）。
低消費電力モードが終了ならば（8-6/YES）、動作モード監視へ移行する。
【００３２】
ここで、表１は、閾値記録部１に記憶されたモード毎の閾値の一例である。
【００３３】
【表１】
2010268151.tif 000003
【００３４】
表１において、コピーモード、印刷モード、ＦＡＸ受信モード、ＦＡＸ送信モード、スキャン蓄積モード、待機モード、予熱モード、及び低消費電力モードにおける白黒・カラー・片面・両面と消費電力の閾値（単位はＷ）Ｔ３〜Ｔ８、Ｔ１１〜Ｔ１４、Ｔ２１〜Ｔ２４が示されている。
【００３５】
図５は、図１に示した画像処理装置の表示部の表示例である。
図５に示すように「消費電力が閾値を超えています。ＸＸＸＸＸへご連絡下さい。」と表示されているが、限定されるものではなく警告画面であればよい。
【００３６】
以上において、本実施形態によれば、異常な消費電力を検出できるので故障を回避できる。
【００３７】
（実施の形態２）
＜構  成＞
図６は、本発明に係る画像処理装置の他の実施の形態を示す構成図である。図１に示した部材と同様の部材には共通の符号を用いた。
図６に示した実施の形態と図１に示した実施の形態との相違点は、温度測定部３を有する点である。
図６に示した画像処理装置Ａは、印刷装置７、画像読取装置８、画像処理制御ユニット１０、印刷制御ユニット１１、画像読取制御ユニット１２、ＣＰＵ１３、ＳＤＲＡＭ１４、ＲＯＭ１５、ＮＶＲＡＭ１６、ＨＤＤ１７、ＬＡＮ制御部１８、ＨＵＢ１９、ＦＡＸ制御ユニット２０、構内交換器２２、表示制御ユニット２３、操作入力制御ユニット２４、制御パネルＩ／Ｆ２５、閾値記憶部１、消費電力制御部２、温度測定部３、操作入力装置４１、タッチパネル４１ａ、キーボード４１ｂ、及び表示装置４０で構成されている。
【００３８】
温度測定部３としては、例えば、サーミスタが挙げられるが限定されるものではない。
温度測定部３は、周囲温度を測定し、消費電力制御部２へ送信する。
閾値記憶部１には、予め設定された各単一動作モード及び周囲温度範囲毎の消費電力の閾値が記憶されている。
各動作モードには、コピーモード、印刷モード、ＦＡＸ受信モード、ＦＡＸ送信モード、スキャン蓄積モード、待機モード、予熱モード、低消費電力モードがある。さらにコピーモードには、白黒コピー、カラーコピー、片面コピー、両面コピー毎の閾値、印刷モードには、白黒印刷、カラー印刷、片面印刷、両面印刷の閾値も設定されている。
【００３９】
消費電力制御部２は、画像処理装置Ａの全体の消費電力を測定し、動作モード及び温度測定部３より受信した温度に相当する閾値を閾値記憶部１より読み出し、読み出した閾値と比較し、閾値を超えた場合に操作パネルＰに対して異常表示を行う為、画像処理制御ユニット１０に通知する。
【００４０】
＜動  作＞
図７は、図６に示した画像処理装置の動作を説明するためのフローチャートの一例の一部であり、図８は、図７に示したフローチャートの残りの部分である。
画像処理制御ユニット１０は動作モードを監視する。
コピーが開始されると（10-1/YES）、画像処理制御ユニット１０は消費電力制御部２に通知し、消費電力制御部２は温度測定部３にて測定された周囲温度Ｔ℃を得（10-2）、コピーが開始されないと(10-1/NO)、図１７の丸Ｂへ進む。
測定された周囲温度Ｔが0℃≦Ｔ≦10℃なら（10-3/YES）、閾値記憶部１より表３のコピーモードで周囲温度に合致したＴ１（5）を閾値Ｔ１として読み込む（10-4）。
同様に、測定された周囲温度Ｔが10℃＜Ｔ≦20℃なら（10-3/NO,10-9/YES）、Ｔ１（15）を閾値Ｔ１として読み込み（10-10）、測定された周囲温度Ｔが20℃＜Ｔ≦30℃なら（10-9/NO,10-11/YES）、Ｔ１（25）を閾値Ｔ１として読み込み（10-12）、周囲温度Ｔが30℃より高いなら(10-11/NO)、Ｔ１（35）を閾値Ｔ１として読み込む（10-13）。
【００４１】
同時に消費電力制御部２は消費電力を測定し、測定値＝Ｐ１を得る（10-5）。消費電力制御部２は閾値Ｔ１と測定値Ｐ１とを比較し(10-6)、測定値Ｐ１が閾値Ｔ１を超えていたならば(10-6/YES)、異常表示を行う為、画像処理制御ユニット１０に通知する。
表示制御ユニット２３は、画像処理制御ユニット１０からの画像表示制御信号を表示装置４０に出力する（10-7）。
測定値Ｐ１が閾値Ｔ１を超えていなければ(10-6/NO)、コピーが終了したか否かを判断する（10-8）。コピーが終了していなければ（10-8/NO）、温度測定部３にて再度、周囲温度を測定し(10-2)、同様の閾値設定、消費電力判定を行う。
コピーが終了したならば（10-8/YES）、動作モード監視へ移行する。
【００４２】
次に印刷が開始されると（11-1/YES）、画像処理制御ユニット１０は消費電力制御部２に通知し、消費電力制御部２は温度測定部３にて測定された周囲温度Ｔ℃を得（11-2）、印刷が開始されないと(11-1/NO)、図１７の丸αへ進む。
測定された周囲温度Ｔが0℃≦Ｔ≦10℃なら（11-3/YES）、閾値記憶部１より表２の印刷モードで周囲温度に合致したＴ２（5）を閾値Ｔ２として読み込む（11-4）。
ここで、表２は、閾値記録部１に記憶された各動作モード及び周囲温度範囲毎の閾値の実施例である。
【００４３】
【表２】
2010268151.tif 000004
【００４４】
表２において、コピーモード、印刷モード、ＦＡＸ受信モード、ＦＡＸ送信モード、スキャン蓄積モード、待機モード、予熱モード、及び低消費モードにおける消費電力の閾値（単位はＷ）Ｔ１（５）〜Ｔ８（３５）が温度範囲Ｔ毎（０℃≦Ｔ≦１０℃、１０℃＜Ｔ≦２０℃、２０℃＜Ｔ≦３０℃、３０℃＜Ｔ）に記載されている。
【００４５】
同様に、測定された周囲温度Ｔが10℃＜Ｔ≦20℃なら（11-3/NO,11-9/YES）、Ｔ２（15）を閾値Ｔ２として読み込み（11-10）、測定された周囲温度Ｔが20℃＜Ｔ≦30℃なら（11-9/NO,11-11/YES）、Ｔ２（25）を閾値Ｔ２として読み込み（11-12）、測定された周囲温度Ｔが30℃より高いなら(11-11/NO)、Ｔ２（35）を閾値Ｔ２として読み込む（11-13）。
【００４６】
同時に消費電力制御部２は消費電力を測定し、測定値＝Ｐ２を得る（11-5）。
消費電力制御部２は閾値Ｔ２と測定値Ｐ２とを比較し(11-6)、測定値Ｐ２が閾値Ｔ２を超えていたならば(11-6/YES)、異常表示を行う為、画像処理制御ユニット１０に通知する。
表示制御ユニット２３は、画像処理制御ユニット１０からの画像表示制御信号を表示装置４０に出力する（11-7）。
測定値Ｐ２が閾値Ｔ２を超えていなければ(11-6/NO)、印刷が終了したか否かを判断する（11-8）。印刷が終了していなければ(11-8/NO)、温度測定部３にて再度、周囲温度を測定し(11-2)、同様の閾値設定、消費電力判定を行う。印刷が終了ならば(11-8/YES)、動作モード監視へ移行する。
【００４７】
同様に、ＦＡＸ受信モード、ＦＡＸ送信モード、スキャン蓄積モード、待機モード、予熱モード、低消費電力モードでも判定される（11-14）。
【００４８】
ここで、ＦＡＸ受信モード、ＦＡＸ送信モード、スキャン蓄積モード、待機モード、予熱モード、及び低消費電力モードについて説明する。
図９は、図８に示したフローチャートのステップ(11-14)におけるＦＡＸ受信モードのフローチャートの一例である。
図９において、ＦＡＸ受信モードが開始されると(100-1/YES)、画像処理制御ユニット１０は消費電力制御部２に通知し、消費電力制御部２は温度測定部３にて測定された周囲温度Ｔ℃を得(100-2)、ＦＡＸ受信モードが開始されないと(100-1/NO)、図１７の丸Ｃへ進む。
測定された周囲温度Ｔが0℃≦Ｔ≦10℃なら(100-3/YES)、閾値記憶部１より表２のＦＡＸ受信モードで周囲温度に合致したＴ３（5）を閾値Ｔ３として読み込む(100-4)。
【００４９】
同様に、測定された周囲温度Ｔが10℃＜Ｔ≦20℃なら(100-3/NO,100-9/YES)、Ｔ３（15）を閾値Ｔ３として読み込み(100-10)、周囲温度Ｔが20℃＜Ｔ≦30℃なら(100-9/NO,100-11/YES)、Ｔ３（25）を閾値Ｔ３として読み込み(100-12)、周囲温度Ｔが30℃より高いなら(100-11/NO)、Ｔ３（35）を閾値Ｔ３として読み込む(100-13)。同時に消費電力制御部２は消費電力を測定し、測定値＝Ｐ３を得る(100-5)。
【００５０】
消費電力制御部２は閾値Ｔ３と測定値Ｐ３とを比較し(100-6)、測定値Ｐ３が閾値Ｔ３を超えていたならば(100-6/YES)、異常表示を行う為、画像処理制御ユニット１０に通知する。表示制御ユニット２３は、画像処理制御ユニット１０からの画像表示制御信号を表示装置４０に出力する。
測定値Ｐ３が閾値Ｔ３を超えていなければ(100-6/NO)、ＦＡＸ受信モードが終了したか否かを判断する(100-8)。ＦＡＸ受信モードが終了していなければ(100-8/NO)、温度測定部３にて再度、周囲温度を測定し、同様の閾値設定、消費電力判定を行う。ＦＡＸ受信モードが終了したならば(100-8/YES)、動作モード監視へ移行する。
【００５１】
図１０は、図８に示したフローチャートのステップ(11-14)におけるＦＡＸ送信モードのフローチャートの一例である。
図１０において、ＦＡＸ送信モードが開始されると(101-1/YES)、画像処理制御ユニット１０は消費電力制御部２に通知し、消費電力制御部２は温度測定部３にて測定された周囲温度Ｔ℃を得(101-2)、ＦＡＸ送信モードが開始されないと(101-1/NO)、図１７の丸Ｄへ進む。
測定された周囲温度Ｔが0℃≦Ｔ≦10℃なら(101-3/YES)、閾値記憶部１より表２のＦＡＸ送信モードで周囲温度に合致したＴ４（5）を閾値Ｔ４として読み込む(101-4)。
【００５２】
同様に、測定された周囲温度Ｔが10℃＜Ｔ≦20℃なら(101-3/NO,101-9/YES)、Ｔ４（15）を閾値Ｔ４として読み込み(101-4)、測定された周囲温度Ｔが20℃＜Ｔ≦30℃なら(101-9/NO,101-11/YES)、Ｔ４（25）を閾値Ｔ４として読み込み、測定された周囲温度Ｔが30℃より高いなら(101-111/NO)、Ｔ４（35）を閾値Ｔ４として読み込む(101-13)。同時に消費電力制御部２は消費電力を測定し、測定値＝Ｐ４を得る(101-5)。
【００５３】
消費電力制御部２は閾値Ｔ４と測定値Ｐ４とを比較し(101-6)、測定値Ｐ４が閾値Ｔ４を超えていたならば(101-6/YES)、異常表示を行う為、画像処理制御ユニット１０に通知する。表示制御ユニット２３は、画像処理制御ユニット１０からの画像表示制御信号を表示装置４０に出力する(101-7)。
測定値Ｐ４が閾値Ｔ４を超えていなければ(101-6/NO)、ＦＡＸ送信モードが終了したか否かを判断する(101-8)。ＦＡＸ送信モードが終了していなければ(101-8/NO)、温度測定部３にて再度、周囲温度を測定し、同様の閾値設定、消費電力判定を行う。ＦＡＸ送信モードが終了したならば(101-8/YES)、動作モード監視へ移行する。
【００５４】
図１１は、図８に示したフローチャートのステップ(11-14)におけるスキャン蓄積モードのフローチャートの一例である。
図１１において、スキャン蓄積モードが開始されると(102-1/YES)、画像処理制御ユニット１０は消費電力制御部２に通知し、消費電力制御部２は温度測定部３にて測定された周囲温度Ｔ℃を得(102-2)、スキャン蓄積モードが開始されないと(102-1/NO)、図１７の丸Ｅへ進む。
測定された周囲温度Ｔが0℃≦Ｔ≦10℃なら(102-3/YES)、閾値記憶部１より表２のスキャン蓄積モードで周囲温度に合致したＴ５（5）を閾値Ｔ５として読み込む(102-4)。
同様に、測定された周囲温度Ｔが10℃＜Ｔ≦20℃なら(102-3/NO,102-9/YES)、Ｔ５（15）を閾値Ｔ５として読み込み(102-10)、測定された周囲温度Ｔが20℃＜Ｔ≦30℃なら(102-9/NO,102-11/YES)、Ｔ５（25）を閾値Ｔ５として読み込み(102-12)、周囲温度Ｔが30℃より高いなら(102-11/NO)、Ｔ５（35）を閾値Ｔ５として読み込む(102-13)。同時に消費電力制御部２は消費電力を測定し、測定値＝Ｐ５を得る(102-5)。
【００５５】
消費電力制御部２は、閾値Ｔ５と測定値Ｐ５とを比較し(102-6)、測定値Ｐ５が閾値Ｔ５を超えていたならば(102-6/YES)、異常表示を行う為、画像処理制御ユニット１０に通知する。表示制御ユニット２３は、画像処理制御ユニット１０からの画像表示制御信号を表示装置４０に出力する(102-7)。
測定値Ｐ５が閾値Ｔ５を超えていなければ(102-6/NO)、スキャン蓄積モードが終了したか否かを判断する(102-8)。スキャン蓄積モードが終了していなければ(102-8/NO)、温度測定部３にて再度、周囲温度を測定し、同様の閾値設定、消費電力判定を行う。スキャン蓄積モードが終了したならば(102-8/YES)、動作モード監視へ移行する。
【００５６】
図１２は、図８に示したフローチャートのステップ(11-14)における待機モードのフローチャートの一例である。
図１２において、待機モードが開始されると(103-1/YES)、画像処理制御ユニット１０は消費電力制御部２に通知し、消費電力制御部２は温度測定部３にて測定された周囲温度Ｔ℃を得(103-2)、待機モードが開始されないと(103-1/NO)、図１７の丸Ｆへ進む。
測定された周囲温度Ｔが0℃≦Ｔ≦10℃なら(103-3/YES)、閾値記憶部１より表２の待機モードで周囲温度Ｔに合致したＴ６（5）を閾値Ｔ６として読み込む(103-4)。
【００５７】
同様に、測定された周囲温度Ｔが10℃＜Ｔ≦20℃なら(103-3/NO,103-9/YES)、Ｔ６（15）を閾値Ｔ６として読み込み(103-10)、測定された周囲温度Ｔが20℃＜Ｔ≦30℃なら(103-9/NO,103-11/YES)、Ｔ６（25）を閾値Ｔ６として読み込み(103-12)、測定された周囲温度Ｔが30℃より高いなら(103-11/NO)、Ｔ６（35）を閾値Ｔ６として読み込む(103-13)。同時に消費電力制御部２は消費電力を測定し、測定値＝Ｐ６を得る(103-5)。
消費電力制御部２は閾値Ｔ６と測定値Ｐ６とを比較し(103-6)、測定値Ｐ６が閾値Ｔ６を超えていたならば(103-6/YES)、異常表示を行う為、画像処理制御ユニット１０に通知する。表示制御ユニット２３は、画像処理制御ユニット１０からの画像表示制御信号を表示装置４０に出力する(103-7)。
測定値Ｐ６が閾値Ｔ６を超えていなければ(103-6/NO)、待機モードが終了したか否かを判断する(103-8)。待機モードが終了していなければ(103-8/NO)、温度測定部３にて再度、周囲温度を測定し、同様の閾値設定、消費電力判定を行う。待機モードが終了したならば(103-8/YES)、動作モード監視へ移行する。
【００５８】
図１３は、図８に示したフローチャートのステップ(11-14)における予熱モードのフローチャートの一例である。
図１３において、予熱モードが開始されると(104-1/YES)、画像処理制御ユニット１０は消費電力制御部２に通知し、消費電力制御部２は温度測定部３にて測定された周囲温度Ｔ℃を得(104-2)、予熱モードが開始されないと(104-1/NO)、図１７の丸Ｇへ進む。
測定された周囲温度Ｔが0℃＜Ｔ≦10℃なら(104-3/YES)、閾値記憶部１より表２の予熱モードで周囲温度に合致したＴ７（5）を閾値Ｔ７として読み込む(104-4)。
【００５９】
同様に、測定された周囲温度Ｔが10℃＜Ｔ≦20℃なら(104-9/YES)、Ｔ７（15）を閾値Ｔ７として読み込み(104-10)、測定された周囲温度Ｔが20℃＜Ｔ≦30℃なら(104-11/YES)、Ｔ７（25）を閾値Ｔ７として読み込み(104-12)、測定された周囲温度Ｔが30℃より高いなら(104-11/NO)、Ｔ７（35）を閾値Ｔ７として読み込む(104-13)。同時に消費電力制御部２は消費電力を測定し、測定値＝Ｐ７を得る(104-5)。
【００６０】
消費電力制御部２は、閾値Ｔ７と測定値Ｐ７とを比較し(104-6)、測定値Ｐ７が閾値Ｔ７を超えていたなら(104-6/YES)、異常表示を行う為、画像処理制御ユニット１０に通知する。表示制御ユニット２３は、画像処理制御ユニット１０からの画像表示制御信号を表示装置４０に出力する(104-7)。測定値Ｐ７が閾値Ｔ７を超えていなければ(104-6/NO)、予熱モードが終了したか否かを判断する(104-8)。予熱モードが終了していなければ(104-8/NO)、温度測定部３にて再度、周囲温度を測定し、同様の閾値設定、消費電力判定を行う。予熱モードが終了したならば(104-8/YES)、動作モード監視へ移行する。
【００６１】
図１４は、図８に示したフローチャートのステップ(11-14)における低消費電力モードのフローチャートの一例である。
図１４において、低消費電力モードが開始されると(105-1/YES)、画像処理制御ユニット１０は消費電力制御部２に通知し、消費電力制御部２は温度測定部３にて測定された周囲温度Ｔ℃を得(105-2)、低消費電力モードが開始されないと(105-1/NO)、図１７の丸βヘ進み、動作モード監視へ移行する。
【００６２】
測定された周囲温度Ｔが0℃≦Ｔ≦10℃なら(105-3/YES)、閾値記憶部１より表２の低消費電力モードで周囲温度に合致したＴ８（5）を閾値Ｔ８として読み込む(105-4)。
【００６３】
同様に、測定された周囲温度Ｔが10℃≦Ｔ≦20℃なら、Ｔ８（15）を閾値Ｔ８として読み込み(105-10)、測定された周囲温度Ｔが20℃＜Ｔ≦30℃なら(105-9/YES)、Ｔ８（25）を閾値Ｔ８として読み込み(105-12)、測定された周囲温度Ｔが30℃より高いなら(105-11/YES)、Ｔ８（35）を閾値Ｔ８として読み込む(105-13)。同時に消費電力制御部２は消費電力を測定し、測定値＝Ｐ８を得る(105-5)。
【００６４】
消費電力制御部２は閾値Ｔ８と測定値Ｐ８とを比較し(105-6)、測定値Ｐ８が閾値Ｔ８を超えていたなら(105-6/YES)、異常表示を行う為、画像処理制御ユニット１０に通知する。表示制御ユニット２３は、画像処理制御ユニット１０からの画像表示制御信号を表示装置４０に出力する(105-7)。測定値Ｐ８が閾値Ｔ８を超えていなければ(105-6/NO)、低消費電力モードが終了したか否かを判断する(105-8)。低消費電力モードが終了していなければ(105-8/NO)、温度測定部３にて再度、周囲温度を測定し、同様の閾値設定、消費電力判定を行う。低消費電力モードが終了したならば(105-8/YES)、動作モード監視へ移行する。
【００６５】
以上において、本実施形態によれば、周囲温度に応じた閾値を用いるので、より正確な異常消費電力を検出できる。
【００６６】
（実施の形態３）
＜構  成＞
構成図は、図１と同様である。
閾値記憶部１には、予め設定された単一動作モード毎の消費電力と総合消費電力の閾値とが記憶されている。
消費電力制御部２は、画像処理装置Ａの全体の消費電力を測定し、単一動作モード毎の消費電力が閾値記憶部1に記憶された閾値と比較し、閾値を超えた場合に操作パネルＰに対して異常表示を行う為、画像処理制御ユニット１０に通知する。各単一動作モード中に他の動作モードが発生した場合は、閾値記憶部１より複合動作モードの閾値に変更し、消費電力制御部２で測定した消費電力が閾値記憶部1に記憶された閾値と比較し、閾値を超えた場合に操作パネルＰに対して異常表示を行う為、画像処理制御ユニット１０に通知する。
【００６７】
＜動  作＞
図１５は、図１に示した画像処理装置の動作を説明するためのフローチャートの一例の一部であり、図１６、１７は、図１５に示したフローチャートの残りの部分である。
表３は、閾値記録部１に記憶された各単一動作モードと複合動作モードの閾値の実施例である。
【００６８】
【表３】
2010268151.tif 000005
【００６９】
動作については、ステップ（1-1）〜（8-6）は、図２に示したフローチャートのステップ（1-1）〜（8-6）と同様であり、説明を簡略化するため、まとめて説明できる点についてはまとめて説明する。
各単一動作にて、消費電力制御部２は各単一動作モードの閾値Ｔ１〜Ｔ８と測定した測定値Ｐ１〜Ｐ８を比較する（X-4：Xは1〜8のいずれかの整数）。
測定値Ｐ１〜Ｐ８が閾値Ｔ１〜Ｔ８を超えていたなら(TX＜PX：Xは1〜8のいずれかの整数)、異常表示を行う為、画像処理制御ユニット１０に通知する。表示制御ユニット２３は、画像処理制御ユニット１０からの画像表示制御信号を表示装置４０に出力する（X-5：Xは1〜8のいずれかの整数）。各単一動作が終了していなければ(X-6/NO：Xは1〜8のいずれかの整数)、複合動作が発生したか否かの判定を行う。単一動作モードが終了したならば(X-6/YES：Xは1〜8のいずれかの整数)、動作モード監視へ移行する。
【００７０】
複合動作が発生したか否かを画像処理制御ユニット１０は監視する(20-1)。複合動作が開始されると（20-1/YES）、画像処理制御ユニット１０は消費電力制御部２に通知し(X-5:Xは1〜8のいずれかの整数)、消費電力制御部２は閾値記憶部１より複合動作モードの閾値＝Ｔ９を読み込む（20-2）。複合動作が発生していなければ（20-1/NO）、各単一動作モードの処理へ戻る（X-2：Xは1〜8のいずれかの整数）。
【００７１】
同時に消費電力制御部２は消費電力を測定し、測定値＝Ｐ９を得る（20-3）。消費電力制御部２は閾値Ｔ９と測定値Ｐ９とを比較し(20-4)、測定値Ｐ９が閾値Ｔ９を超えていたなら(20-4/YES)、異常表示を行う為、画像処理制御ユニット１０に通知する。表示制御ユニット２３は、画像処理制御ユニット１０からの画像表示制御信号を表示装置４０に出力する（20-5）。
測定値Ｐ９が閾値Ｔ９を超えていなければ(20-4/NO)、複合動作が終了したか否かを判断する（20-6）。複合動作が終了していなければ(20-6/NO)、再度消費電力を測定する。複合動作が終了したならば（20-6）、各単一動作モードへ戻る（X-2：Xは1〜8のいずれかの整数）。
【００７２】
以上において、本実施形態によれば、複合動作においても異常判定できるので、全ての動作モードにて故障を回避できる。
【００７３】
＜プログラム及び記憶媒体＞
以上で説明した本発明にかかる画像処理装置は、コンピュータで処理を実行させるプログラムによって実現されている。コンピュータとしては、例えばパーソナルコンピュータやワークステーションなどの汎用的なものが挙げられるが、本発明はこれに限定されるものではない。よって、一例として、プログラムにより本発明を実現する場合の説明を以下で行う。
【００７４】
画像処理装置を制御するためのコンピュータを、
(1)予め設定された物理量の閾値を記憶する手段、及び、
(2)動作中に前記閾値を超えると表示部に異常を表示するように制御する手段、
として機能させるためのプログラムが挙げられる。
【００７５】
これにより、プログラムが実行可能なコンピュータ環境さえあれば、どこにおいても本発明にかかる画像処理装置を実現することができる。
このようなプログラムは、コンピュータに読み取り可能な記憶媒体に記憶されていてもよい。
【００７６】
ここで、記憶媒体としては、例えば、ＣＤ−ＲＯＭ（Compact Disc Read Only Memory）、フレキシブルディスク（ＦＤ）、ＣＤ−Ｒ（CD Recordable）、ＤＶＤ（Digital Versatile Disk）などのコンピュータで読み取り可能な記憶媒体、フラッシュメモリ、ＲＡＭ（Random Access Memory）、ＲＯＭ（Read Only Memory）、ＦｅＲＡＭ（強誘電体メモリ）等の半導体メモリやＨＤＤ（Hard Disc Drive）が挙げられる。
【００７７】
なお、上述した実施の形態は、本発明の好適な実施の形態の一例を示すものであり、本発明はそれに限定されることなく、その要旨を逸脱しない範囲内において、種々変形実施が可能である。
【産業上の利用可能性】
【００７８】
本発明は、プリンタ、ファクシミリ、複写機、及び複合機に利用できる。
【符号の説明】
【００７９】
１    閾値記憶部
２    消費電力制御部
３    温度測定部
７    印刷装置
８    画像読取装置
１０    画像処理制御ユニット
１１    印刷制御ユニット
１２    画像読取制御ユニット
１３    ＣＰＵ
１４    ＳＤＲＡＭ
１５    ＲＯＭ
１６    ＮＶＲＡＭ
１７    ＨＤＤ
１８    ＬＡＮ制御部
１９    ＨＵＢ
２０    ＦＡＸ制御ユニット
２２    ＰＢＸ
２３    表示制御ユニット
２４    操作入力制御ユニット
２５    制御パネルＩ／Ｆ
４０    表示部
４１    操作入力装置
【先行技術文献】
【特許文献】
【００８０】
【特許文献１】特開２００８−２１１７１２号公報
【図１】
2010268151.tif 000006
【図２】
2010268151.tif 000007
【図３】
2010268151.tif 000008
【図４】
2010268151.tif 000009
【図５】
2010268151.tif 000010
【図６】
2010268151.tif 000011
【図７】
2010268151.tif 000012
【図８】
2010268151.tif 000013
【図９】
2010268151.tif 000014
【図１０】
2010268151.tif 000015
【図１１】
2010268151.tif 000016
【図１２】
2010268151.tif 000017
【図１３】
2010268151.tif 000018
【図１４】
2010268151.tif 000019
【図１５】
2010268151.tif 000020
【図１６】
2010268151.tif 000021
【図１７】
2010268151.tif 000022